(57)【特許請求の範囲】
【請求項１】
火炎に曝されて発電する固体電解質型燃料電池を用いた燃料電池システムにおいて、
筒状の固体電解質基板の内面に燃料極が形成されると共に外面に空気極が形成された複数の燃料電池セルが、管状に形成された殻体に備えられ、
前記燃料電池セルは、前記殻体の長手方向に直交する方向に前記燃料電池セルの軸心が平行となるように、且つ、前記燃料電池セルの両端部が前記殻体外へ開口するように配置されると共に、前記燃料極を火炎に曝す位置に配置され、一方、前記空気極が、前記殻体により前記火炎から隔離されると共に、その殻体内の空気が外気に連通していることを特徴とする燃料電池システム。
【請求項２】
火炎に曝されて発電する固体電解質型燃料電池を用いた燃料電池システムにおいて、
筒状の固体電解質基板の内面に燃料極が形成されると共に外面に空気極が形成された複数の燃料電池セルが、扁平円管状に形成されその両端部が前記外気に対し開口している殻体に備えられ、
前記燃料電池セルは、前記燃料電池セルの両端部が前記殻体外へ開口するように配置されると共に、前記燃料極を火炎に曝す位置に配置され、一方、前記空気極が、前記殻体により前記火炎から隔離されると共に、その殻体内の空気が外気に連通していることを特徴とする燃料電池システム。
【請求項３】
前記殻体は扁平円管状に形成されその両端部が前記外気に対し開口していることを特徴とする請求項１に記載の燃料電池システム。
【請求項４】
火炎に曝されて発電する固体電解質型燃料電池を用いた燃料電池システムにおいて、
筒状の固体電解質基板の内面に燃料極が形成されると共に外面に空気極が形成された複数の燃料電池セルが、天板、底板及び外側板により形成されその外側板には外気に連通する空気流通口が形成された殻体に備えられ、
前記燃料電池セルは、前記底板に直交する方向に前記燃料電池セルの軸心が平行となるように、且つ、前記燃料電池セルの両端部が前記殻体外へ開口するように配置されると共に、前記燃料極を火炎に曝す位置に配置され、一方、前記空気極が、前記殻体により前記火炎から隔離されると共に、その殻体内の空気が外気に連通していることを特徴とする燃料電池システム。
【請求項５】
前記天板及び底板のそれぞれの中央には孔が形成され、前記火炎が前記天板と底板との間に進入しないように、それぞれの前記孔を連結する内側板が設けられたことを特徴とする請求項４に記載の燃料電池システム。
【発明の詳細な説明】
【技術分野】
【０００１】
本発明は、火炎に曝される固体電解質型燃料電池を用いた燃料電池システムに関する。
【背景技術】
【０００２】
近年、低公害の発電手段としての燃料電池が様々な分野で実用化されている。燃料電池には種々形式のものがあるが、高い発電効率、長寿命化、低コスト化等が可能である点で、固体電解質型燃料電池が優れていると言われる。
【０００３】
この固体電解質型燃料電池において、電池セルを火炎に曝して、火炎中の水素、一酸化炭素、メタン等の燃料種を燃料極に供給すると共に、燃料電池セルを動作温度に加熱する形式のものがある。この種の燃料電池の場合、火炎を利用しているので、起電時間の短縮が可能である。
【０００４】
特許文献１の「燃焼装置」には、固体電解質管の外側に燃料極が形成され、固体電解質管の内側に空気極が形成された燃料電池が開示されている。この燃料電池が火炎に曝された場合、燃料極には還元炎中の炭化水素、水素、ラジカル等が供給される。また、空気極には火炎とは遮断された経路を介して空気が供給されるようになっている。
【０００５】
特許文献２の燃料電池の発電方法では、燃料極が対向するように一対の固体電解質型燃料電池の電池セルが配置されている。また、この燃料極に還元炎が当たるように、ガスバーナの炎口部が配置されている。そして、固体電解質を挟んで燃料極とは反対側の空気極には還元炎が当たらないようになっている。
【先行技術文献】
【特許文献】
【０００６】
【特許文献１】特開平６−１９６１７６号公報
【特許文献２】特開２００７−４２３５４号公報
【発明の概要】
【発明が解決しようとする課題】
【０００７】
特許文献１では、第５実施例に示されているように、固体電解質管に対する加熱は、水平方向に配置された管の下部に当る火炎や、横部又は上部へ回り込む火炎により行われている。このように、火炎による加熱状態が部位により異なるため、固体電解質管の上部と下部との間には温度差が生じ易い。そして、異なる熱応力の発生により、固体電解質管は破壊され易い状態に置かれている。また、下部と上部とでは還元炎の濃度が異なるため、燃料極の外周全体に対して十分な還元炎が供給され難い。従って、この固体電解質管による発電効率には改善の余地があると思われる。
【０００８】
また、この固体電解質管による電気の出力を高めるためには、管の全長を長くしたり、管の直径を大きくしたりして、燃料極の面積を広くする必要がある。しかし、管の全長を長くすれば、集電抵抗が大きくなるので燃料極にも空気極にも集電材を設ける必要があり、このためコストが嵩む。また、管の直径を大きくすれば、管の上下において、温度差が大きくなったり、還元炎の濃度が異なったりして、上記の問題が強まることになる。
【０００９】
更に、直管状の固体電解質管を還元炎に曝すことができるように、還元炎の炎口が直線状に配置されている。従って、炎口が環状に配置されているものに対しては、固体電解質管を、環状配置の炎口に対応させた曲管とする必要がある。しかし、固体電解質管はセラミック等で形成されることが一般的であるため、この材料を曲管に形成することには、製造上の問題が多い。このため、この燃料電池は、炎口の配置に制限がある。
【００１０】
特許文献２のガス器具は、燃料極側と空気極側とを、分離したガス炎で加熱することにより発電させる高温作動型燃料電池用ガスバーナを備えている。このガス器具における空気極には、ガス燃焼室内の空気が供給されるか、空気の割合が高い主炎の酸化性ガスが供給されるようになっている。ガス燃焼室内の空気は、その酸素の一部がガスの燃焼に費やされる。また、酸化性ガス中の酸素濃度は低い。従って、空気極に供給される酸素は必ずしも十分とは言えないため、発電効率が低下せざるを得ない。
【００１１】
本発明は、このような問題に着目してなされたものであり、その目的とするところは、燃料極が火炎に曝されることにより効率よく加熱されると共に、燃料極には十分な燃料種が供給され、また、空気極には十分な酸素濃度の空気が供給される燃料電池システムを提供することにある。
【課題を解決するための手段】
【００１２】
上記問題を解決するために請求項１に記載の燃料電池システムの発明は、火炎に曝されて発電する固体電解質型燃料電池を用いた燃料電池システムにおいて、筒状の固体電解質基板の内面に燃料極が形成されると共に外面に空気極が形成された複数の燃料電池セルが、管状に形成された殻体に備えられ、前記燃料電池セルは、前記殻体の長手方向に直交する方向に前記燃料電池セルの軸心が平行となるように、且つ、前記燃料電池セルの両端部が前記殻体外へ開口するように配置されると共に、前記燃料極を火炎に曝す位置に配置され、一方、前記空気極が、前記殻体により前記火炎から隔離されると共に、その殻体内の空気が外気に連通していることを特徴とするものである。なお、「外気」とは、火炎を伴う燃焼に酸素が消費されることがない空気を指し、例えば、燃焼室又は燃焼域外の空気を意味する。
【００１３】
上記構成によれば、複数の燃料電池セルが、その内面の燃料極を火炎に曝すと共に、その外面の空気極を火炎から隔離する位置に配置されている。また、空気極は外気に連通する空気に触れている。このため、燃料極は加熱されながら燃料種が供給されると共に、火炎から隔離された空気極は、大気と同等の酸素濃度の空気に触れている。従って、この固体電解質型の燃料電池セルは効率的に発電することができる。
【００１４】
請求項２に記載の発明は、火炎に曝されて発電する固体電解質型燃料電池を用いた燃料電池システムにおいて、筒状の固体電解質基板の内面に燃料極が形成されると共に外面に空気極が形成された複数の燃料電池セルが、扁平円管状に形成されその両端部が前記外気に対し開口している殻体に備えられ、前記燃料電池セルは、前記燃料電池セルの両端部が前記殻体外へ開口するように配置されると共に、前記燃料極を火炎に曝す位置に配置され、一方、前記空気極が、前記殻体により前記火炎から隔離されると共に、その殻体内の空気が外気に連通していることを特徴とするものである。
【００１５】
請求項３に記載の発明は、請求項１に記載の燃料電池システムにおいて、前記殻体は扁平円管状に形成されその両端部が前記外気に対し開口していることを特徴とするものである。
【００１６】
請求項４に記載の発明は、火炎に曝されて発電する固体電解質型燃料電池を用いた燃料電池システムにおいて、筒状の固体電解質基板の内面に燃料極が形成されると共に外面に空気極が形成された複数の燃料電池セルが、天板、底板及び外側板により形成されその外側板には外気に連通する空気流通口が形成された殻体に備えられ、前記燃料電池セルは、前記底板に直交する方向に前記燃料電池セルの軸心が平行となるように、且つ、前記燃料電池セルの両端部が前記殻体外へ開口するように配置されると共に、前記燃料極を火炎に曝す位置に配置され、一方、前記空気極が、前記殻体により前記火炎から隔離されると共に、その殻体内の空気が外気に連通していることを特徴とするものである。
【００１７】
請求項５に記載の発明は、請求項４に記載の燃料電池システムにおいて、前記天板及び底板のそれぞれの中央には孔が形成され、前記火炎が前記天板と底板との間に進入しないように、それぞれの前記孔を連結する内側板が設けられたことを特徴とするものである。
【発明の効果】
【００１８】
本発明によれば、燃料極が火炎に曝されて効率よく加熱されると共に、燃料極には十分な燃料種が供給され、また、火炎から隔離された空気極には十分な酸素濃度の空気が供給されるので、効率的な発電が可能な燃料電池システムを提供することができる。
【図面の簡単な説明】
【００１９】
【図１】第１実施形態の燃料電池システムを示す一部断面図。
【図２】図１のＡ矢視図。
【図３】図１のＢ−Ｂ矢視断面図。
【図４】第１実施形態の燃料電池システムが設置された湯沸器を示す概略図。
【図５】図４のＣ−Ｃ矢視断面図。
【図６】第１実施形態の燃料電池システムの変形例を示す平面図。
【図７】図６のＤ−Ｄ矢視断面図。
【図８】第２実施形態の燃料電池システムを示す平面図。
【図９】図８のＥ−Ｅ矢視断面図。
【図１０】第２実施形態の燃料電池システムが設置されたガスコンロを示す概略図。
【発明を実施するための形態】
【００２０】
（第１の実施形態）
以下、本発明を具体化した実施形態を図１〜図７を用いて説明する。
図１〜図３に示すように、本実施形態の燃料電池システム１は、セラミック製筒状の殻体３と、その殻体３の長手方向に沿って所定間隔に配置された複数（本実施形態では４個）の燃料電池セル２と、図示しないリード線とより構成されている。この殻体３の断面形状は、一対の半円形部分と、それらの各端部を連結する一対の直線部とよりなる。即ち、殻体３は扁平円管状をなしている。そして、上下の平面部３ｃ、３ｄのそれぞれに形成された孔３ａ、３ｂを連結するように燃料電池セル２が配置されている。
【００２１】
また、燃料電池システム１が設けられる装置の内外を区画する隔壁５において、殻体３の両端部は懸架されている。そして、殻体３の両端部は、装置外の空気に対して開口している。その開口部４において、殻体３内の空気と、外気との入れ替えが可能となっている。
【００２２】
なお、殻体３を形成する材料としては、シリカ、コージェライト、チタン酸アルミ、炭化珪素、窒化珪素等の耐熱性があるセラミックが挙げられる。
燃料電池セル２は、円筒状をなしている。また、燃料電池セル２は、それぞれの軸心が殻体３の上下の平面部３ｃ、３ｄに直交する方向に平行に配置されている。また、燃料電池セル２の上下の端部２ｄは、平面部３ｃ、３ｄの孔３ａ、３ｂの縁部に固定されると共に、孔３ａ、３ｂを介して殻体３外に開口している。
【００２３】
また、燃料電池セル２は、セラミック製円筒状の固体電解質基板２ｂの内外の両面にセラミック製の多孔質固体電解層が積層され、それぞれの電解層に空気極材料と燃料極材料とが付与されることにより、空気極２ａ及び燃料極２ｃが形成されている。なお、内面が燃料極２ｃであり、外面が空気極２ａである。この多孔質固体電解層は、固体電解質基板２ｂに固体電解質の粉末を含む泡状スラリーを定着させた後に焼結して多孔質体としたものである。そして、空気極２ａ及び燃料極２ｃには、図示しないリード線が連結され、各燃料電池セル２において発電された電気を取り出せるようになっている。このリード線の連結は、各燃料電池セル２を、直列に連結したり並列に連結したりして、任意に行うことができる。
【００２４】
後述するように、火炎が燃料電池セル２内面の燃料極２ｃを加熱すると共に、火炎に含まれる燃料種が燃料極２ｃに供給される。一方、空気極２ａは、殻体３内にあって、火炎から隔離されて、外気に連通した大気と同等の酸素濃度の空気に、言い換えれば、燃焼等により酸素が消費されていない空気に、触れている。また、燃料極２ｃに対する加熱により、燃料電池セル２の温度が上昇する。従って、十分な酸素が供給されると共に温度が上昇した空気極２ａにおいて酸素イオンが発生する。その酸素イオンは、固体電解質基板２ｂを介して燃料極２ｃへ移動して、酸素イオンと燃料種との反応により水や二酸化炭素が生じる。この時、酸素イオンが電子を放出する。このため、空気極２ａと燃料極２ｃとの間に電位差が生じるので、リード線により電気を取り出すことができる。従って、燃料極２ｃに対する十分な加熱及び燃料種の供給と、空気極２ａに対する十分な加熱及び十分な酸素の供給とにより、本実施形態の燃料電池システム１においては、効率的な発電が行われることになる。
【００２５】
なお、固体電解質基板２ｂを形成する材料としては、公知のセラミック材料が挙げられる。このセラミック材料は、例えば、イットリア安定化ジルコニア（８ＹＳＺ）、イットリア部分安定化ジルコニア（３ＹＳＺ）、スカンジア安定化ジルコニア（ＳｃＳＺ）、ガドリアドープドセリア（ＧＤＣ）、サマリアドープドセリア（ＳＤＣ）、ランタンガレート（ＬＳＧＭ）等である。また、多孔質固体電解層も、固体電解質基板２ｂと同様の材料を用いて形成することができる。
【００２６】
空気極２ａの材料としては、Ｃｏ、Ｆｅ、Ｃｒ、Ｍｎ、Ｌａ、Ｓｒ、Ｎｉ、Ｓｍ等の複合酸化物又はこれらの混合物が挙げられる。また、燃料極２ｃの材料としては、Ｎｉ、Ｆｅ、Ｃｏ、Ｐｔ、Ｐｂ、Ｒｕ、Ａｇ等の酸化物の単独又は混合されたもの、或いは、これらと電解質材料とを混合してサーメットにしたものが挙げられる。本実施形態では、多孔質固体電解層の表面だけでなく内部の孔の内壁にも、これらの空気極材料及び燃料極材料が付着している。
【００２７】
次に、図４及び図５を用いて、燃料電池システム１が設置された湯沸器１０を説明する。図４に示すように、本実施形態の湯沸器１０においては、燃焼室１７を区画する隔壁１１内に、ガスバーナ１３、燃料電池システム１及び熱交換器１２が設けられている。隔壁１１には、排気口１６が設けられている。
【００２８】
ガスバーナ１３の火炎の還元炎１５は、燃料電池システム１の下部に当たると共に、燃料電池システム１の燃料電池セル２内に進入して、燃料極２ｃ側を加熱すると共に、燃料極２ｃに燃料種を供給する。この時、燃料極２ｃは略均等に加熱されるので、不均一な加熱に起因する熱応力により破壊されることが防止される。そして、更に上昇した火炎は酸化炎１４となって熱交換器１２を加熱する。このため、熱交換器１２内を流れる水は、加熱により湯となって湯沸器外へ供給される。
【００２９】
このように、燃料電池セル２は燃料極２ｃ側から十分に加熱されるので、殻体３内の空気極２ａも空気中の酸素と反応するために十分な高温となる。しかも、空気極２ａは、還元炎１５から隔離されている。また、例えば、空気Ａ１が、図の右の開口部４から流入して図の左の開口部４から流出するように、常に殻体３内には大気と同等の酸素濃度の空気が存在する。このため、空気極２ａにおける酸素イオンの発生が効率よく行われる。
【００３０】
なお、図５に示すように、本実施形態の湯沸器１０においては、２ヶ所に燃料電池システム１が配置されている。そして、ガスバーナ１３が２ヶ所の燃料電池システム１の直下及び２ヶ所の燃料電池システム１の間を含む複数ヶ所に設置されている。また、ガスバーナ１３の炎口１３ａは、燃料電池セル２の数よりも多く設けられているので、燃料電池システム１の直下のガスバーナ１３の一部の炎口１３ａの火炎は、燃料電池セル２内に進入することなく、殻体３の外側を回りこんで熱交換器１２の加熱に供されることになる。
【００３１】
そして、燃料電池システム１で発電された電気は、湯沸器１０の制御や、図示しない強制排気用ファンの作動のために用いられる。また、余剰の電気は、図示しない蓄電池に蓄電され、ガスバーナ１３の着火装置の着火に用いられる。
【００３２】
なお、図６及び図７に示すように、燃料電池システム１を、殻体３よりも幅広の扁平円筒状の殻体３０と、殻体３０の長手方向に沿って配置された２列の複数の燃料電池セル２とより構成することもできる。
【００３３】
従って、上記実施形態によれば、以下のような効果を得ることができる。
（１）上記実施形態では、燃料電池システム１を、セラミック製筒状の殻体３と、その殻体３の長手方向に沿って所定間隔に配置された複数の燃料電池セル２と、図示しないリード線とより構成した。このため、燃料電池セル２内面の燃料極２ｃは、全面が火炎に曝されることができるので、十分な加熱と燃料種の供給を受けることができる。また、燃料電池セル２外面の空気極２ａは、火炎から隔離されると共に、外気に連通する空気に触れることができる。従って、固体電解質型の燃料電池セル２は効率的に発電することができる。
【００３４】
（２）上記実施形態では、燃料電池システム１が複数の燃料電池セル２を備えるようにした。このため、燃料電池セル２の数を増やすことにより、燃料電池システム１の１個当たりの発電力を高めることができる。ところが、特許文献１の固体電解質管においては、管当たりの発電力を高めるためには、例えば、燃料極及び空気極の全長を長くする必要があるが、長くなった燃料極及び空気極には集電抵抗が増大する。従って、燃料極及び空気極に集電材を設けるための技術的及びコスト的課題が生じる。一方、本実施形態の燃料電池システム１においては、上記の通り単に燃料電池セル２の数を増やせばよく、高出力化を容易に行うことができる。
【００３５】
（３）上記実施形態では、複数の燃料電池セル２を、殻体３の長手方向に沿って所定間隔に、また、それぞれの軸心が平行となるように配置した。このため、燃料電池セル２の軸心を火炎の上昇方向又は噴出方向に沿うように配置することが容易にできる。従って、燃料電池セル２の燃料極２ｃの全面に対して、火炎を略均等に当てることができるので、熱応力による燃料電池セル２の破壊を防止することができる。
【００３６】
（４）上記実施形態では、殻体３に複数の燃料電池セル２を配置した。そして、それぞれの燃料電池セル２には、リード線が連結され、各燃料電池セル２において発電された電気を取り出せるようにした。このため、各燃料電池セル２を、リード線により直列に連結したり並列に連結したりして、電気の取り出しを任意の態様で行うことができる。
【００３７】
（５）上記実施形態では、燃料電池システム１を湯沸器１０のガスバーナ１３上に設置した。このため、湯を沸かすことができると共に、燃料電池システム１により発電された電気を、湯沸器１０の制御や、強制排気用ファンの作動に用いることができる。また、余剰の電気を、蓄電池に蓄電して、ガスバーナ１３の着火装置の着火に用いることができる。
【００３８】
（第２の実施形態）
次に、本発明を具体化した第２実施形態を、第１実施形態と異なる部分を中心に図８〜図１０を用いて説明する。
【００３９】
図８及び図９に示すように、本実施形態の燃料電池システム４０は、円周上に配置された複数（本実施形態では８個）の燃料電池セル２を備えている。各燃料電池セル２は、それぞれの軸心が互いに平行となるように配置されている。
【００４０】
また、燃料電池システム４０においては、上下に配置される天板４１及び底板４２と、円筒状の内側板４３と、外側板４４とにより殻体４７が形成されている。内側板４３は、両端部が、天板４１及び底板４２における孔４１ａ、４２ａのそれぞれの縁部に固定されている。また、天板４１及び底板４２のそれぞれには、同一円周上の等間隔の８ヶ所に孔３ａ、３ｂが形成され、それらの孔３ａ、３ｂの縁部に燃料電池セル２の端部２ｄが固定されている。
【００４１】
更に、天板４１及び底板４２のそれぞれの外縁の２ヶ所において、一部が外方へ延出するように延出部４１ｂ、４２ｂが形成されている。この、上下の延出部４１ｂ、４２ｂを連結するように外側板４４が配置されて、角筒状の開口部４５が形成されている。従って、殻体４７は、図８の左右両側の開口部４５において、開口すると共に、殻体４７内の空気が外気と入れ替え可能となっている。
【００４２】
次に、図１０を用いて、燃料電池システム４０が設置されたガスコンロ５０を説明する。本実施形態のガスコンロ５０においては、円周上に配置された炎口部５２を囲むように円筒状の隔壁５３が配置されている。この隔壁５３により、ガスが燃焼する燃焼域が区画されている。また、隔壁５３の上端には環状の天板部５３ａが設けられている。
【００４３】
そして、燃料電池システム４０と炎口部５２とのそれぞれの中心が上下方向において一致するように、燃料電池システム４０が炎口部５２の上方に配置されている。燃料電池システム４０は、開口部４５が隔壁５３の図示しない開口部に嵌合されることにより支持されている。
【００４４】
このガスコンロ５０において、炎口部５２から出た火炎５１の還元炎５１ｂは、燃料電池セル２内の燃料極２ｃを加熱すると共に燃料極２ｃに燃料種を供給した後、酸化炎５１ａとなって、五徳５４に載置された鍋や薬缶等を加熱する。また、一部の火炎５１は、内側板４３及び外側板４４を伝って上昇し、酸化炎５１ａとなって鍋や薬缶等を加熱する。
【００４５】
また、燃料電池システム４０の開口部４５は、ガスの燃焼域外の空気に開口しているので、燃料電池システム４０内には大気と同等の酸素濃度の空気が常に存在する。このため、燃料極２ｃ側から加熱されて十分昇温した空気極２ａにおいて、酸素イオンの発生が効率よく行われる。そして、燃料電池システム４０は発電することができる。
【００４６】
このようにして発電された電気は、ガスコンロ５０がシステムキッチンに設置された場合等、キッチンの照明や換気扇を制御する制御システムに用いられることができる。また、電気は、蓄電池に蓄電されて、着火装置に用いられるようにすることもできる。
【００４７】
そして、この第２実施形態においては、第１の実施形態における効果に加えて、以下の効果を得ることができる。
（６）上記実施形態では、複数の燃料電池セル２を円周上に配置した。このため、円周上に配置された炎口部からでる火炎の還元炎を、効率的に用いて発電する燃料電池システム４０を提供することができる。
【００４８】
（７）上記実施形態では、燃料電池システム４０をガスコンロ５０に設置した。このため、鍋や薬缶等を加熱することができると共に、燃料電池システム４０で発電された電気を、キッチンの照明や換気扇を制御する制御システムに用いることができる。また、電気を蓄電池に蓄電して、その電気を着火装置に用いることができる。
【００４９】
（変更例）
なお、上記実施形態は、次のように変更して具体化することも可能である。
・  燃料電池セル２を円筒状としたが、多角筒状又は楕円筒状とすること。
・  燃料極２ｃを筒状体としたが、筒状体の一端に外方へ延在したフランジ部を設けて、フランジ付き筒状体の燃料極２ｃとすること。
・  火炎の上方に燃料電池セル２を配置したが、火炎の上方に限らず、火炎の噴出方向に軸心が沿うように燃料電池セル２を配置すること。
・  第１実施形態において、殻体３に４個の燃料電池セル２を配置したが、４個以外の複数を配置すること。
・  第１実施形態において、複数の燃料電池セル２を、それぞれの軸心が平行となるように配置したが、それぞれの軸心が傾くように配置すること。
・  第１実施形態における湯沸器１０においては、２ヶ所に燃料電池システム１を配置したが、１ヶ所又は３ヶ所以上に配置すること。
・  第１実施形態において、殻体３を扁平円筒状としたが、円筒状又は角筒状とすること。
・  第２実施形態において、円周上に配置された複数の燃料電池セル２に対応するように炎口部５２を配置したが、炎口部５２の内側に別の炎口部を設けて、その炎口部から出る火炎が、内側板４３内を通過して鍋や薬缶等を加熱するようにすること。
【００５０】
さらに、上記実施形態より把握できる技術的思想について、それらの効果と共に以下に記載する。
（イ）給湯器、焼却炉等に備えられたことを特徴とする請求項１乃至３の何れか１項に記載の燃料電池システム。このように構成した場合、湯を沸かすことができると共に、燃料電池システムにより発電された電気を、湯沸器の制御や、強制排気用ファンの作動に用いることができる。また、電気を、蓄電池に蓄電して他の電気機器に用いることができる。
（ロ）ガスコンロに備えられたことを特徴とする請求項５に記載の燃料電池システム。このように構成した場合、鍋や薬缶等を加熱することができると共に、燃料電池システムで発電された電気を、キッチンの照明や換気扇を制御する制御システムに用いることができる。また、電気を蓄電池に蓄電して、その電気を着火装置に用いることができる。
【符号の説明】
【００５１】
Ａ１…空気、１，４０…燃料電池システム、２…燃料電池セル、２ａ…空気極、２ｂ…固体電解質基板、２ｃ…燃料極、２ｄ…端部、３，３０，４７…殻体、３ａ，３ｂ，４１ａ，４１ｂ…孔、４１…天板、４２…底板、４３…内側板、４４…外側板、５１…火炎。
【図１】
0005461290.tif 000002
【図２】
0005461290.tif 000003
【図３】
0005461290.tif 000004
【図４】
0005461290.tif 000005
【図５】
0005461290.tif 000006
【図６】
0005461290.tif 000007
【図７】
0005461290.tif 000008
【図８】
0005461290.tif 000009
【図９】
0005461290.tif 000010
【図１０】
0005461290.tif 000011